【手続補正書】
【提出日】平成18年2月27日(2006.2.27)
【手続補正１】
【補正対象書類名】明細書
【補正対象項目名】特許請求の範囲
【補正方法】変更
【補正の内容】
【特許請求の範囲】
【請求項１】  物体側から光路に沿って順に配置された、正の屈折力を有する第１レンズ群Ｇ１と、負の屈折力を有する移動レンズ群Ｇ２と、広角端から望遠端に変倍する際に単調に物体側に移動するレンズ群Ｇ３とを含み、
前記第１レンズ群Ｇ１は、光路を折り曲げるプリズムを有し、
前記レンズ群Ｇ３は、物体側から光路に沿って順に配置された、正の単レンズと、正レンズと像側に凹面を向けた負レンズの接合レンズとからなり、
前記第１レンズ群Ｇ１、前記移動レンズ群Ｇ２及び前記レンズ群Ｇ３のレンズ群の中の少なくとも２面に非球面を有するズームレンズ。
【請求項２】  前記第１レンズ群Ｇ１は、物体側から光路に沿って順に配置された、発散性を有する光学素子と正レンズとからなっている請求項１に記載のズームレンズ。
【請求項３】  前記移動レンズ群Ｇ２は、物体側から光路に沿って順に配置された、両凹レンズと正レンズとからなっている請求項１または２に記載のズームレンズ。
【手続補正２】
【補正対象書類名】明細書
【補正対象項目名】０００８
【補正方法】変更
【補正の内容】
【０００８】
本発明は、従来技術の有するこのような問題点に鑑みてなされたものであり、その目的とするところは、高ズーム比で明るいＦ値など高い光学仕様性能を有するズームレンズと、奥行きが極めて薄く高画質の写真を得ることができ且つ歪曲が少なく広画角の撮影が可能な電子撮像装置を提供することにある。
【手続補正３】
【補正対象書類名】明細書
【補正対象項目名】０００９
【補正方法】変更
【補正の内容】
【０００９】
【課題を解決するための手段】
上記の目的を達成するため、本発明によるズームレンズは、物体側から光路に沿って順に配置された、正の屈折力を有する第１レンズ群Ｇ１と、負の屈折力を有する移動レンズ群Ｇ２と、広角端から望遠端に変倍する際に単調に物体側に移動するレンズ群Ｇ３とを含み、前記第１レンズ群Ｇ１は、光路を折り曲げるプリズムを有し、前記レンズ群Ｇ３は、物体側から光路に沿って順に配置された、正の単レンズと、正レンズと像側に凹面を向けた負レンズの接合レンズとからなり、前記第１レンズ群Ｇ１、前記移動レンズ群Ｇ２及び前記レンズ群Ｇ３のレンズ群の中の少なくとも２面に非球面を有している。
本発明によれば、前記第１レンズ群Ｇ１は、物体側から光路に沿って順に配置された、発散性を有する光学素子と正レンズとからなっている。
また、本発明によれば、前記移動レンズ群Ｇ２は、物体側から光路に沿って順に配置された、両凹レンズと正レンズとからなっている。
【手続補正４】
【補正対象書類名】明細書
【補正対象項目名】００２８
【補正方法】変更
【補正の内容】
【００２８】
数値データ１
ｒ1＝-11.6796（非球面）
ｄ1＝9.0200        ｎd1＝1.58423         νd1＝30.49
ｒ2＝∞
ｄ2＝0.1650
ｒ3＝9.8371（非球面）
ｄ3＝2.3000        ｎd3＝1.69350         νd3＝53.21
ｒ4＝529.3773
ｄ4＝D4
ｒ5＝-12.8197(非球面)
ｄ5＝0.8000        ｎd5＝1.80610         νd5＝40.92
ｒ6＝5.7072（非球面）
ｄ6＝0.5000
ｒ7＝8.1113
ｄ7＝2.1000        ｎd7＝1.84666         νd7＝23.78
ｒ8＝177.2938
ｄ8＝Ｄ８
ｒ9＝∞（絞り）
ｄ9＝Ｄ９
ｒ10＝10.6507（非球面）
ｄ10＝4.6389        ｎd10＝1.69350        νd10＝53.21
ｒ11＝-9.2140（非球面）
ｄ11＝0.1650
ｒ12＝9.0658
ｄ12＝2.0900        ｎd12＝1.58913        νd12＝61.14
ｒ13＝5717.2980
ｄ13＝0.6600        ｎd13＝1.84666        νd13＝23.78
ｒ14＝4.9509
ｄ14＝D14
ｒ15＝7.7937
ｄ15＝2.5000        ｎd15＝1.51742        νd15＝52.43
ｒ16＝22.2524
ｄ16＝D16
ｒ17＝∞
ｄ17＝1.3200        ｎd17＝1.51633        νd17＝64.14
ｒ18＝∞
ｄ18＝1.4795        ｎd18＝1.54771        νd18＝62.84
ｒ19＝∞
ｄ19＝0.3300
ｒ20＝∞
ｄ20＝0.8250        ｎd20＝1.51633        νd20＝64.14
ｒ21＝∞
ｄ21＝D21
ｒ21＝∞（撮像面）
【手続補正５】
【補正対象書類名】明細書
【補正対象項目名】００３４
【補正方法】変更
【補正の内容】
【００３４】
次に、第２実施例のズームレンズを構成する光学部材の数値データを示す。
数値データ２
ｒ1＝-11.7854（非球面）
ｄ1＝10.5000       ｎd1＝1.58423        νd1＝30.49
ｒ2＝∞
ｄ2＝0.1650
ｒ3＝7.8008（非球面）
ｄ3＝3.0000        ｎd3＝1.56907         νd3＝71.30
ｒ4＝-49.1420
ｄ4＝Ｄ４
ｒ5＝-9.3686（非球面）
ｄ5＝0.8000        ｎd5＝1.80610         νd5＝40.92
ｒ6＝3.8996（非球面）
ｄ6＝0.5000
ｒ7＝6.3672
ｄ7＝2.1000        ｎd7＝1.80518         νd7＝25.42
ｒ8＝-47.8945
ｄ8＝Ｄ８
ｒ9＝∞（絞り）
ｄ9＝6.1780
ｒ10＝10.2138（非球面）
ｄ10＝6.2294        ｎd10＝1.69350        νd10＝53.21
ｒ11＝-10.9309（非球面）
ｄ11＝0.1650
ｒ12＝8.6046
ｄ12＝2.0900        ｎd12＝1.58913        νd12＝61.14
ｒ13＝-99.9521
ｄ13＝0.6600        ｎd13＝1.84666        νd13＝23.78
ｒ14＝5.1954
ｄ14＝Ｄ１４
ｒ15＝7.1426
ｄ15＝2.0000        ｎd15＝1.51633        νd15＝64.14
ｒ16＝29.6189
ｄ16＝Ｄ１６
ｒ17＝∞
ｄ17＝1.3200        ｎd17＝1.51633        νd17＝64.14
ｒ18＝∞
ｄ18＝1.4795        ｎd18＝1.54771        νd18＝62.84
ｒ19＝∞
ｄ19＝0.3300
ｒ20＝∞
ｄ20＝0.8250        ｎd20＝1.51633        νd20＝64.14
ｒ21＝∞
ｄ21＝Ｄ２１
ｒ22＝∞（撮像面）
【手続補正６】
【補正対象書類名】明細書
【補正対象項目名】００３８
【補正方法】変更
【補正の内容】
【００３８】
図１１中、Ｉは電子撮像素子であるＣＣＤの撮像面、ＣＧは平面平板状のＣＣＤカバーガラス、ＬＰＦは光学的ローパスフィルターで、物体側から順に、本発明によるズームレンズと、光学的ローパスフィルターＬＰＦと、カバーガラスＣＧと、撮像面Ｉが配置されている。
そして、第３実施例のズームレンズは、物体側から順に、第１レンズ群Ｇ１と、第２レンズ群Ｇ２と、開口絞りＳと、第３レンズ群Ｇ３と、第４レンズ群Ｇ４とを有している。
第１レンズ群Ｇ１は、物体側から順に、物体側に光路を折り曲げるための反射面ＲＦと物体側に凹面であり光軸から離れるに従って発散性が弱まる非球面を持つ光線入射面ＩＦを有するプリズムＰと、正の屈折力を有する後側副群とで構成されており、全体で正の屈折力を有している。
プリズムＰは、光路を９０°折り曲げる反射プリズムとして構成されている。
後側副群は、両凸正レンズＬ１で構成されている。
第２レンズ群Ｇ２は、物体側から順に、両凹負レンズＬ２1と正メニスカスレンズＬ２2で構成されており、全体で負の屈折力を有している。
第３レンズ群Ｇ３は、物体側から順に、両凸正レンズＬ３1と、正メニスカスレンズＬ３2と負メニスカスレンズＬ３3との接合レンズで構成されている。
第４レンズ群Ｇ４は、両凸正レンズＬ４で構成されている。
【手続補正７】
【補正対象書類名】明細書
【補正対象項目名】００３９
【補正方法】変更
【補正の内容】
【００３９】
無限遠物点合焦時において広角端から望遠端へと変倍する際には、第１レンズ群Ｇ１と開口絞りＳは位置が固定され、第２レンズ群Ｇ２は像側へのみ移動し、第３レンズ群Ｇ３は物体側へのみ移動するようになっている。
また、合焦動作時には、第４レンズ群Ｇ４が光軸上を移動するようになっている。
非球面は、第１レンズ群Ｇ１中のプリズムＰの光線入射面１Ｆのほかに、第１レンズ群Ｇ１中の両凸正レンズＬ１の物体側の面、第２レンズ群Ｇ２中の両凹負レンズＬ２1の両側面、及び第３レンズ群Ｇ３中の両凸正レンズＬ３1の両側面に夫々設けられている。
【手続補正８】
【補正対象書類名】明細書
【補正対象項目名】００９７
【補正方法】変更
【補正の内容】
【００９７】
（１１）最も像面に近いレンズ群が像面に対して位置がほぼ固定されている請求項１または上記（１）乃至（６）の何れかに記載のズームレンズ。
（１２）請求項２乃至４及び上記（７）乃至（１１）に記載の要件の何れか２つ以上を満足するズームレンズ。
【手続補正９】
【補正対象書類名】明細書
【補正対象項目名】００９８
【補正方法】変更
【補正の内容】
【００９８】
（１３）前記レンズ群Ｇ１は像面に対して位置がほぼ固定であり、前記レンズ群Ｇ１の発散性を有する光学素子は最も物体側に凹面を向けた光軸から離れるに従って発散性が弱まる入射面と光路を折り曲げるための反射面を有するプリズムである請求項２または上記（７）に記載のズームレンズ。